(57)【要約】【課題】煩雑な操作をすることなく平面鏡および拡大鏡として使用することができるコンパクトミラーを提供する。【解決手段】２枚の鏡３ａ、３ｂを重ね合わせてなる鏡板３と、重ね合わされた鏡板３が嵌め込まれる凹部を備えるケース本体２と、ケース本体２の凹部に嵌め込まれた鏡板３を支持する鉤状の鏡板おさえ具４とを備え、ケース本体２の裏面側に、ケース本体２の表面側に向かって凹み、凸レンズ作用をなす透明の透視部７が設けられている。【選択図】  図４
0003114190.tif 000002
【実用新案登録請求の範囲】
【請求項１】
２枚の鏡を重ね合わせた鏡板と、
前記重ね合わされた鏡板が嵌め込まれる凹部を備えるケース本体と、
前記凹部に嵌め込まれた鏡板を支持する鉤状の鏡板おさえ具とを備え、
前記ケース本体の一方の面に、ケース本体の他方の面に向かって凹み、凸レンズ作用をなす透明の透視部が設けられている
ことを特徴とするコンパクトミラー。
【請求項２】
前記透視部は、その凹みの中央部が高く、凹みの周辺部に向かって徐々に低くなる緩やかな弧状に形成されている
ことを特徴とする請求項１記載のコンパクトミラー。
【請求項３】
前記ケース本体の外縁は、面取り加工又はＲ加工が施されている
ことを特徴とする請求項１又は２記載のコンパクトミラー。
【請求項４】
さらに、使用者が把持するための把持部がケース本体と一体成形されている
ことを特徴とする請求項１〜３のいずれか１項に記載のコンパクトミラー。
【考案の詳細な説明】
【技術分野】
【０００１】
本考案は、バッグや化粧ポーチに入れて持ち運びされる懐中鏡や手鏡などのコンパクトミラーに関する。
【背景技術】
【０００２】
コンパクトミラーは化粧直しやコンタクトレンズの着脱時などに使用されており、多くの人がバッグや化粧ポーチに入れて携帯している。
従来のコンパクトミラーとしては、一般的に鏡板を取り付けたプラスチック製の蓋体と、その蓋体を収容する凹部を有するプラスチック製のケース体とが、一端部のヒンジ部で枢着された二つ折りタイプのものが知られている（例えば、特許文献１参照。）。
また、一方のケース本体の内面側に平面鏡を取り付けて通常の大きさの像を写し、他方の蓋体の内面側に凹面鏡を取り付けて拡大して像を写す携帯鏡も知られている（例えば、特許文献２参照。）。
【特許文献１】実開平３−７２８１４号公報
【特許文献２】実開平５−８８４０８号公報
【考案の開示】
【考案が解決しようとする課題】
【０００３】
しかしながら、上記特許文献２のコンパクトミラーでは、折り畳まれている蓋体を少なくとも９０度回動しなければ凹面鏡が現出して映らないので、拡大鏡として使用する際には蓋体を回動しなければならない煩わしさがある。
そこで、本考案は、かかる問題点に鑑みてなされたものであり、煩雑な操作をすることなく平面鏡および拡大鏡として使用することができるコンパクトミラーを提供することを目的とする。
【課題を解決するための手段】
【０００４】
上記目的を達成するために、本考案に係るコンパクトミラーは、２枚の鏡を重ね合わせた鏡板と、前記重ね合わされた鏡板が嵌め込まれる凹部を備えるケース本体と、前記凹部に嵌め込まれた鏡板を支持する鉤状の鏡板おさえ具とを備え、前記ケース本体の一方の面に、ケース本体の他方の面に向かって凹み、凸レンズ作用をなす透明の透視部が設けられていることを特徴とする。
本構成によって、コンパクトミラーの表面は平面鏡として作用し、裏面は平面鏡と凸レンズとの組合せにより拡大鏡として作用するので、裏表の切り替えだけで平面鏡と拡大鏡を使い分けることができるコンパクトミラーが実現される。また、蓋体や蓋体を回動させるヒンジ等が不要となるので、製造コストの面でも有利になる。
また、本考案に係るコンパクトミラーは、使用者が把持するための把持部がケース本体と一体成形されているとしてもよく、このようにすることで手鏡として使用することもできる。
【考案の効果】
【０００５】
以上説明したように、本考案に係るコンパクトミラーによれば、表面を平面鏡として使用することができ、裏面を拡大鏡として使用することができるので、平面鏡と拡大鏡との使い分けが容易になるという効果が奏される。
また、蓋体や蓋体を回動させる構造を要しないので、低廉な製造コストを実現することもできる。
【考案を実施するための最良の形態】
【０００６】
以下、本考案の実施の形態について、図面を参照しながら説明する。
（実施の形態１）
図１〜図４は、それぞれ本考案の実施の形態１に係る懐中鏡の正面図、背面図、側面図、側面の断面図である。
本実施の形態１に係る懐中鏡１は、表面が平面鏡として作用し、裏面が拡大鏡として作用するコンパクトミラーであり、表面側に凹部を有するケース本体２と、ケース本体２の凹部に嵌め込まれる鏡板３と、嵌め込まれた鏡板３を抑える鏡板おさえ具４と、ケース本体２の裏面側に形成される透視部７とを備えている。
ケース本体２は、鏡板３が嵌め込まれる鏡板ケースであり、略手のひらに入る程度の大きさで、円形状に合成樹脂で形成されている。なお、図３に示すように、このケース本体２の外縁には、面取り加工５、６が施されており、使用者が懐中鏡１を手にした際の触感を良好なものにしている。
また、図４に示すように、ケース本体２の表面側はくり抜かれて、２枚の鏡板３ａ、３ｂを嵌め込むための凹部が形成されている。その凹部には、嵌め込まれた鏡板３ａ、３ｂがケース本体２から外れないようにするための鉤状の鏡板おさえ具４も嵌め込まれる。
鏡板３は、２枚の鏡板３ａ、３ｂの裏面をそれぞれ重ね合わせることにより構成されている。
鏡板おさえ具４は、ケース本体２の表面側に形成された凹部の外周に沿って設置され、ケース本体２の中央に向かって突出した鉤形状を有する部材であり、凹部に嵌め込まれた鏡板３がケース本体２から外れないように鏡板３を支持している。
透視部７は、ケース本体２の裏面側に形成され、ケース本体２の表面側に向かって凹んだ部分であり、鏡板３ｂが見えるように透明になっている。図４に示すように、この透視部７は、凹みの中央部分が周辺部より厚く、中央部分から周辺部分に向かって徐々に低くなる弧状面を有しており、ケース本体２の裏面側から見る際には凸レンズの作用をなしている。
以上のように構成される懐中鏡１は、表面側が平面鏡として作用し、裏面側が平面鏡と凸レンズとの組合せにより拡大鏡として作用することになる。
このように、本実施の形態１に係る懐中鏡１によれば、裏表の切り替えという簡単な操作で平面鏡と拡大鏡の使い分けが可能となる。また、蓋体などが不要であり、蓋体を回動させるヒンジ等の機構も不要となるので、製造コストを抑えることもできる。
（実施の形態２）
図５〜図８は、それぞれ本考案の実施の形態２に係る手鏡の正面図、背面図、側面図、側面の断面図である。なお、上記実施の形態１と同一の構成については、同一の符号を付しており、その説明を省略する。
本実施の形態２に係る手鏡１１は、表面が平面鏡として作用し、裏面が拡大鏡として作用する手鏡形状のコンパクトミラーであり、使用者が手鏡１１を把持するための把持部１３を備えている点で上記実施の形態１に係る懐中鏡１と異なる。
把持部１３は、ケース本体１２と一体成形されており、デザイン性や使用者が把持しやすくするために、中央部に貫通孔が設けられている。この貫通孔は、デザインに応じて適宜その形状を変更してもよく、また、貫通孔を設けないとしてもよい。
また、図７および図８に示すように、ケース本体１２の外縁には、Ｒ加工１４、１５が施されており、使用者の触感を良好にするとともに、丸みを持たせることによりデザイン性をも良好にしている。
以上のような構成とすることで、手鏡１１は、上記実施の形態１に係る懐中鏡１と同様に、表面側を平面鏡として、裏面側を拡大鏡として使用できる携帯可能な手鏡となる。
ここまで本考案に係るコンパクトミラーについて各実施の形態に基づいて説明したが、本考案は、これらの実施の形態に限定されるものではなく、その範囲を逸脱することなく本考案の趣旨に沿って様々の変形または修正が可能であることはいうまでもない。
例えば、上記各実施の形態では、ケース本体を円形状として説明したが、楕円形や四角形などのその他の形状であってもよい。
また、同様に、透視部についても円形状に限られるものではなく、上記と同様の形状を採用することも可能である。
【産業上の利用可能性】
【０００７】
本考案に係るコンパクトミラーは、携帯可能な懐中鏡や手鏡等に好適である。
【図面の簡単な説明】
【０００８】
【図１】実施の形態１に係る懐中鏡の正面図である。
【図２】実施の形態１に係る懐中鏡の背面図である。
【図３】実施の形態１に係る懐中鏡の側面図である。
【図４】図３に示した懐中鏡の断面図である。
【図５】実施の形態２に係る手鏡の正面図である。
【図６】実施の形態２に係る手鏡の背面図である。
【図７】実施の形態２に係る手鏡の側面図である。
【図８】図７に示した手鏡の断面図である。
【符号の説明】
【０００９】
１            懐中鏡
２、１２      ケース本体
３            鏡板
４            鏡板おさえ具
５、６        面取り加工
７            透視部
１１          手鏡
１３          把持部
１４、１５    Ｒ加工
【図１】
0003114190.tif 000003
【図２】
0003114190.tif 000004
【図３】
0003114190.tif 000005
【図４】
0003114190.tif 000006
【図５】
0003114190.tif 000007
【図６】
0003114190.tif 000008
【図７】
0003114190.tif 000009
【図８】
0003114190.tif 000010